(57)【要約】【課題】自装置内のＷＬＡＮ装置の通信とＢＴ装置の通信が互いの干渉となるのを防止しつつ他の無線ＬＡＮ装置の通信とＢＴ装置の通信が互いの干渉となるのを防止し、さらに、ＢＴ装置が使用可能なチャネルが不足する確率を低減可能な無線通信装置を得ること。【解決手段】本発明にかかる無線通信装置は、ＷＬＡＮ装置１と、ＢＴ装置２と、ＷＬＡＮ装置１で生成されたチャネル情報に基づいて、ＢＴ装置２が使用可能なチャネルを決定する無線チャネル制御部３と、を備え、ＢＴ装置２は、通信品質の劣化を検出した場合、不足帯域または必要帯域を無線チャネル制御部３に対して通知し、無線チャネル制御部３は、ＢＴ装置２から不足帯域または必要帯域の通知を受けた場合には、ＷＬＡＮ装置１に対し、使用チャネルの変更、または通信の一時的な停止を指示することとした。【選択図】図１
2010278764.tif 000002
【特許請求の範囲】
【請求項１】
無線ＬＡＮの規格に従った動作を実行し、チャネルスキャン実行時には、自装置および周囲の他の通信装置がそれぞれ使用しているチャネルの情報を生成するＷＬＡＮ装置と、
ブルートゥース規格に従った動作を実行するＢＴ装置と、
前記ＷＬＡＮ装置で生成されたチャネル情報に基づいて、前記ＢＴ装置が使用可能なチャネルを決定する無線チャネル制御部と、
を備え、
前記ＢＴ装置は、前記無線チャネル制御部での決定結果に従って周波数ホッピング通信を行い、また、通信品質の劣化を検出した場合には、不足帯域または必要帯域を前記無線チャネル制御部に対して通知し、
前記無線チャネル制御部は、前記ＢＴ装置から不足帯域または必要帯域の通知を受けた場合には、前記ＷＬＡＮ装置に対し、使用チャネルの変更、または使用チャネルにおける通信の一時的な停止を指示する
ことを特徴とする無線通信装置。
【請求項２】
前記ＷＬＡＮ装置は、前記無線チャネル制御部から使用チャネルの変更指示を受けた場合、指示内容に従って使用チャネルを変更するとともに前記チャネル情報を更新し、
前記無線チャネル制御部は、前記更新されたチャネル情報に基づいて、前記ＢＴ装置が使用可能なチャネルを再決定する
ことを特徴とする請求項１に記載の無線通信装置。
【請求項３】
前記ＷＬＡＮ装置は、チャネルスキャン実行時に、自装置または他の通信装置が使用しているチャネルの各々の通信品質情報をさらに生成し、
前記無線チャネル制御部は、ＷＬＡＮ装置に対して使用チャネルの変更指示を行う場合、前記通信品質情報に基づいて変更後の使用チャネルを決定し、当該決定したチャネルへの変更を指示する
ことを特徴とする請求項１または２に記載の無線通信装置。
【請求項４】
前記ＷＬＡＮ装置は、前記通信品質情報をトラフィック種別およびＱｏＳ種別に基づいて生成することを特徴とする請求項３に記載の無線通信装置。
【請求項５】
前記無線チャネル制御部は、前記通信品質情報に基づいて与干渉／被干渉が最も少ないチャネルを特定し、当該特定したチャネルへの変更を指示することを特徴とする請求項３または４に記載の無線通信装置。
【請求項６】
前記無線チャネル制御部は、前記ＢＴ装置が使用可能なチャネルを決定する際、前記通信品質情報に基づいて、与干渉／被干渉が最も少ないチャネルから順番に、所定数のチャネルを選択することを特徴とする請求項３、４または５に記載の無線通信装置。
【請求項７】
前記無線チャネル制御部は、前記通信品質情報に基づいて特定される与干渉／被干渉量が同一のチャネルが複数存在する場合、前記ＷＬＡＮ装置または前記他の通信装置が使用しているチャネルであるＷＬＡＮチャネルの周波数帯に含まれていないチャネルを優先的に選択することを特徴とする請求項６に記載の無線通信装置。
【請求項８】
前記無線チャネル制御部は、前記ＢＴ装置が使用可能なチャネルを決定する際、前記ＷＬＡＮ装置または前記他の通信装置が使用しているチャネルであるＷＬＡＮチャネルの周波数帯に含まれていないチャネルを優先的に選択することを特徴とする請求項１〜５のいずれか一つに記載の無線通信装置。
【請求項９】
前記無線チャネル制御部は、前記ＢＴ装置が使用可能なチャネルを決定する際、前記ＷＬＡＮ装置または前記他の通信装置が使用しているチャネルであるＷＬＡＮチャネルの周波数帯に含まれていないチャネルであり、なおかつＷＬＡＮチャネルからの干渉量が最も小さいチャネルから順番に選択することを特徴とする請求項１〜５のいずれか一つに記載の無線通信装置。
【請求項１０】
前記無線チャネル制御部は、周波数ホッピング通信で必要とされる規定数以上のチャネルを選択することを特徴とする請求項６〜９のいずれか一つに記載の無線通信装置。
【請求項１１】
前記ＷＬＡＮ装置は、前記無線チャネル制御部から使用チャネルにおける通信の一時的な停止を指示された場合、通信相手の通信装置および周囲の他の通信装置に対して当該使用チャネルにおける通信を一定期間停止するように指示を行った後、一定期間通信を停止し、
前記無線チャネル制御部は、前記ＷＬＡＮ装置が通信を停止している期間においては、通信停止中のチャネルと同一周波数帯のチャネルを使用した通信を前記ＢＴ装置に対して許可する
ことを特徴とする請求項１に記載の無線通信装置。
【請求項１２】
前記ＢＴ装置は、前記ＷＬＡＮ装置が通信を停止している期間が終了した後は、前記ＷＬＡＮ装置が通信を停止する前に使用していたチャネルでの通信に復帰することを特徴とする請求項１１に記載の無線通信装置。
【請求項１３】
無線ＬＡＮの規格に従った通信を行うＷＬＡＮ装置、ブルートゥース規格に従った通信を行うＢＴ装置、および当該ＷＬＡＮ装置から得られる情報に基づいて当該ＢＴ装置が使用可能なチャネルを決定する無線チャネル制御部を備えた無線通信装置で実行する帯域制御方法であって、
前記ＷＬＡＮ装置が、チャネルスキャンを実行し、自装置および周囲の他の通信装置がそれぞれ使用しているチャネルの情報を生成するチャネル情報生成ステップと、
前記無線チャネル制御部が、前記チャネル情報に基づいて、前記ＢＴ装置が使用可能なチャネルを決定する使用可能チャネル決定ステップと、
前記ＢＴ装置が、前記無線チャネル制御部での決定結果に従った周波数ホッピング通信中に通信品質の劣化を検出した場合に、不足帯域または必要帯域を前記無線チャネル制御部に対して通知する要求帯域通知ステップと、
前記無線チャネル制御部が、前記ＢＴ装置から不足帯域または必要帯域の通知を受けた場合に、前記ＷＬＡＮ装置に対し、使用チャネルの変更、または使用チャネルにおける通信の一時的な停止を指示する動作指示ステップと、
を含むことを特徴とする帯域制御方法。
【請求項１４】
前記動作指示ステップで使用チャネルの変更指示が行われた場合、
前記ＷＬＡＮ装置は、前記動作指示ステップでの指示内容に従って使用チャネルを変更するとともに前記チャネル情報を更新し、
前記無線チャネル制御部は、前記更新されたチャネル情報に基づいて、前記ＢＴ装置が使用可能なチャネルを再決定する
ことを特徴とする請求項１３に記載の帯域制御方法。
【請求項１５】
前記チャネル情報生成ステップでは、自装置または他の通信装置が使用しているチャネルの各々の通信品質情報をさらに生成し、
前記動作指示ステップでは、ＷＬＡＮ装置に対して使用チャネルの変更指示を行う場合、前記通信品質情報に基づいて変更後の使用チャネルを決定し、当該決定したチャネルへの変更を指示する
ことを特徴とする請求項１３または１４に記載の帯域制御方法。
【請求項１６】
前記通信品質情報をトラフィック種別およびＱｏＳ種別に基づいて生成することを特徴とする請求項１５に記載の帯域制御方法。
【請求項１７】
前記動作指示ステップでは、前記通信品質情報に基づいて与干渉／被干渉が最も少ないチャネルを特定し、当該特定したチャネルへの変更を指示することを特徴とする請求項１５または１６に記載の帯域制御方法。
【請求項１８】
前記使用可能チャネル決定ステップでは、前記通信品質情報に基づいて、与干渉／被干渉が最も少ないチャネルから順番に、所定数のチャネルを選択することを特徴とする請求項１５、１６または１７に記載の帯域制御方法。
【請求項１９】
前記使用可能チャネル決定ステップでは、前記通信品質情報に基づいて特定される与干渉／被干渉量が同一のチャネルが複数存在する場合、前記ＷＬＡＮ装置または前記他の通信装置が使用しているチャネルであるＷＬＡＮチャネルの周波数帯に含まれていないチャネルを優先的に選択することを特徴とする請求項１８に記載の帯域制御方法。
【請求項２０】
前記使用可能チャネル決定ステップでは、前記ＷＬＡＮ装置または前記他の通信装置が使用しているチャネルであるＷＬＡＮチャネルの周波数帯に含まれていないチャネルを優先的に選択することを特徴とする請求項１３〜１７のいずれか一つに記載の帯域制御方法。
【請求項２１】
前記使用可能チャネル決定ステップでは、前記ＷＬＡＮ装置または前記他の通信装置が使用しているチャネルであるＷＬＡＮチャネルの周波数帯に含まれていないチャネルであり、なおかつＷＬＡＮチャネルからの干渉量が最も小さいチャネルから順番に選択することを特徴とする請求項１３〜１７のいずれか一つに記載の帯域制御方法。
【請求項２２】
前記使用可能チャネル決定ステップでは、周波数ホッピング通信で必要とされる規定数以上のチャネルを選択することを特徴とする請求項１８〜２１のいずれか一つに記載の帯域制御方法。
【請求項２３】
前記動作指示ステップで使用チャネルにおける通信の一時的な停止を指示された場合、
前記ＷＬＡＮ装置は、通信相手の通信装置および周囲の他の通信装置に対して当該使用チャネルにおける通信を一定期間停止するように指示を行った後、一定期間通信を停止し、
前記無線チャネル制御部は、前記ＷＬＡＮ装置が通信を停止している期間においては、通信停止中のチャネルと同一周波数帯のチャネルを使用した通信を前記ＢＴ装置に対して許可する
ことを特徴とする請求項１３に記載の帯域制御方法。
【請求項２４】
前記ＢＴ装置は、前記ＷＬＡＮ装置が通信を停止している期間が終了した後は、前記ＷＬＡＮ装置が通信を停止する前に使用していたチャネルでの通信に復帰することを特徴とする請求項２３に記載の帯域制御方法。
【発明の詳細な説明】
【技術分野】
【０００１】
本発明は、異なる２つの無線通信方式に対応し、かつそれぞれの方式での通信を同時に実行可能な無線通信装置および帯域制御方法に関する。
【背景技術】
【０００２】
近年、ＩＳＭ（Industry  Science  Medical）バンドのうちの２．４ＧＨｚ帯を利用する各種無線機器（無線通信装置）が盛んに開発されている。この２．４ＧＨｚ帯を利用する無線通信としては、無線ＬＡＮ（IEEE802.11b/g/n）、ブルートゥース（Bluetooth(登録商標)）などが存在する。また、これらの無線通信装置を複数備えた複合装置の開発も行われている。たとえば、無線ＬＡＮのアクセスポイントに接続して音声通信を行う携帯無線端末が、ユーザーにハンズフリー通話機能を提供する際に、ユーザーが装着したワイヤレスヘッドセットとの間でブルートゥース通信を行う構成が考えられる。また、Ｂｌｕｅｔｏｏｔｈ  ＳＩＧ（Special  Interest  Group）においては、Ａｌｔｅｒｎａｔｉｖｅ  ＰＨＹ  ａｎｄ  ＭＡＣとしてＢｌｕｅｔｏｏｔｈ  ｏｖｅｒ  ＷＬＡＮのようにブルートゥース対応機器と無線ＬＡＮ対応機器を併用するシステムも検討されている。
【０００３】
ここで、IEEE802.11b/g/nを使用している無線通信装置（以下、ＷＬＡＮ装置と記す）では、耐ノイズ性を考慮して、直接拡散方式のスペクトル拡散（Direct  Sequence  Spread  Spectrum：ＤＳＳＳ）やＯＦＤＭ（Orthogonal  Frequency  Division  Multiplexing）技術を導入している。また、このＷＬＡＮ装置では、２．４ＧＨｚ帯のＩＳＭバンドで規定された１４個のチャネルから選択した１つを固定的に使用して通信を行う。
【０００４】
また、ＷＬＡＮ装置では、他ネットワークあるいは他システムとの相互運用性を考慮して、各々の無線端末が、無線パケット送信に先立って無線チャネルをキャリアセンスし、チャネルの使用中（チャネルビジー）を確認した場合は無線パケットの送信を控え、予めフレーム種別毎に決められたチャネル未使用（チャネルアイドル）時間とバックオフ時間が経過した後に、無線パケットを送信する無線アクセス方式ＣＳＭＡ／ＣＡ（Carrier  Sense  Multiple  Access  with  Collision  Avoidance）が主に導入されている。
【０００５】
一方、ブルートゥース対応の無線通信装置（以下、ＢＴ装置と記す）においても、耐ノイズ性を高めるために、周波数ホッピング方式のスペクトル拡散（Frequency  Hopping  Spread  Spectrum：ＦＨＳＳ）技術を導入している。このＦＨＳＳ技術では、２.４０ＧＨｚから２.４８ＧＨｚまでの周波数帯において定めた１ＭＨｚ幅の７９個の周波数チャネル（以下、ＦＨチャネルと記す）の中から１つのＦＨチャネルを選択し、これを時間の経過と共に切り替えながら通信する。より詳細には、このＦＨＳＳ方式では、予め決められた擬似ランダムアルゴリズムに基づいて一定時間間隔（例えば625μs）でＦＨチャネル選択を繰り返し実施し、１つのＦＨチャネルに１パケットデータを割り当てて通信を行う。
【０００６】
なお、ＷＬＡＮ装置が使用する各チャネルは、ＢＴ装置が使用するＦＨチャネルの約２０個分に相当する占有周波数帯域幅（２２ＭＨｚ）となっており、隣接チャネルとの間隔は５ＭＨｚとなっている。また、ＷＬＡＮ装置が使用する１４チャネルは、それぞれの中心周波数が２．４１２ＧＨｚ〜２．４８４ＧＨｚの間に割り当てられており、２．４０１ＧＨｚ〜２．４９５ＧＨｚを占有する。
【０００７】
したがって、同じ２．４ＧＨｚ帯を使用して通信するＢＴ装置とＷＬＡＮ装置がお互いの通信エリア内に存在すると、互いが送出する電波が干渉しあい、お互いの通信を妨害することになる。特に、ＢＴ装置とおよびＷＬＡＮ装置を備えた複合装置や、これらを併用するシステムでは、この相互干渉による通信品質の劣化を防止する何らかの方策が必須となる。このような複合装置における相互干渉の発生を回避して通信品質の劣化を防止する技術の一例が下記特許文献１に記載されている。
【０００８】
下記特許文献１に記載の複合無線装置は、ＷＬＡＮ装置、ＢＴ装置および無線チャネル制御部を備え、無線チャネル制御部は、ＷＬＡＮ装置から使用中のチャネルの情報を取得し、ＷＬＡＮ装置の使用中チャネルが占有している帯域以外のチャネル（ブルートゥース通信用の上記ＦＨチャネル）間で周波数ホッピングを行うように、ＢＴ装置を制御する。またこのとき、ＷＬＡＮ装置の使用チャネルに近接したＦＨチャネルでＢＴ装置が送信を行うと、ＷＬＡＮ装置によるキャリアセンスで誤判定が発生し、スループットが低下してしまうおそれがあることも考慮して、無線チャネル制御部はＢＴ装置を制御している。なお、無線チャネル制御部は、複合無線装置を構成しているＷＬＡＮ装置のみならず近接した他のＷＬＡＮ装置が使用しているチャネルも考慮してＢＴ装置を制御している。具体的には、まず、複合無線装置を構成しているＷＬＡＮ装置の使用チャネルおよび他のＷＬＡＮ装置の使用チャネルの情報を用い、さらに、キャリアセンスで誤判定が発生するおそれがあることも考慮して、各ＦＨチャネルを誤検出危険チャネル、使用不可チャネルおよびその他のチャネル（使用可能チャネル）に分類する。そして、使用可能チャネルが必要数（周波数ホッピング動作で必要とされるチャネル数）以上であれば使用可能チャネルのみを使用して周波数ホッピングを行うように制御し、一方、使用可能チャネルが必要数に満たない場合には、すべての使用可能チャネルに加えて、使用不可チャネルの中から選択した不足数分またはそれ以上のＦＨチャネル（準使用可能チャネル）を使用して周波数ホッピングを行うように制御する。
【先行技術文献】
【特許文献】
【０００９】
【特許文献１】特開２００８−１７２５５６号公報
【発明の概要】
【発明が解決しようとする課題】
【００１０】
特許文献１に記載の複合無線装置では、近接した他のＷＬＡＮ装置が多数存在する場合など、使用可能チャネルに分類されたＦＨチャネルが必要数に満たない状態においては、不足分を使用不可チャネルに分類されたＦＨチャネルの中から、与干渉が少ないチャネル順に選択することとしている。しかしながら、不足しているＦＨチャネルの数が多い場合には、ＢＴ装置の通信がＷＬＡＮ装置に対して大きな干渉を与えることとなり、また、ＢＴ装置の通信におけるＷＬＡＮ装置からの干渉波に対する耐性も劣化してしまう、という問題があった。
【００１１】
本発明は、上記に鑑みてなされたものであって、他のＷＬＡＮ装置が近隣に多数存在する場合であっても、自装置内のＷＬＡＮ装置の通信とＢＴ装置の通信が互いの干渉となるのを防止するとともに、他のＷＬＡＮ装置の通信とＢＴ装置の通信が互いの干渉となるのを回避し、さらに、上記特許文献１でいうところの良好チャネル（ＢＴ装置が使用可能なチャネル）が不足する確率を低減可能な無線通信装置および帯域制御方法を得ることを目的とする。
【課題を解決するための手段】
【００１２】
上述した課題を解決し、目的を達成するために、本発明にかかる無線通信装置は、無線ＬＡＮの規格に従った動作を実行し、チャネルスキャン実行時には、自装置および周囲の他の通信装置がそれぞれ使用しているチャネルの情報を生成するＷＬＡＮ装置と、ブルートゥース規格に従った動作を実行するＢＴ装置と、前記ＷＬＡＮ装置で生成されたチャネル情報に基づいて、前記ＢＴ装置が使用可能なチャネルを決定する無線チャネル制御部と、を備え、前記ＢＴ装置は、前記無線チャネル制御部での決定結果に従って周波数ホッピング通信を行い、また、通信品質の劣化を検出した場合には、不足帯域または必要帯域を前記無線チャネル制御部に対して通知し、前記無線チャネル制御部は、前記ＢＴ装置から不足帯域または必要帯域の通知を受けた場合には、前記ＷＬＡＮ装置に対し、使用チャネルの変更、または使用チャネルにおける通信の一時的な停止を指示することを特徴とする。
【発明の効果】
【００１３】
本発明によれば、ＢＴ装置における通信品質が劣化して帯域不足となった場合、ＷＬＡＮ装置は使用するＷＬＡＮチャネルを変更することとしたので、周囲に他のＷＬＡＮ装置が複数存在する状況においても、ＷＬＡＮ装置におけるキャリアセンス誤検出が発生するのを回避するとともに、ＢＴ装置での通信で必要な数のチャネルを確保できる、という効果を奏する。
【図面の簡単な説明】
【００１４】
【図１】図１は、本発明にかかる無線通信装置の実施の形態１の構成例を示す図である。
【図２】図２は、ＷＬＡＮ装置が使用可能なチャネルとＢＴ装置が使用可能なチャネルの対応関係を示した図である。
【図３】図３は、実施の形態１の無線通信装置の動作を説明するための図である。
【図４】図４は、実施の形態１の無線通信装置の動作を説明するための図である。
【図５】図５は、使用チャネル情報およびチャネル通信品質情報の一例を示す図である。
【図６】図６は、使用可能ＦＨチャネルの選択結果の一例を示す図である。
【図７】図７は、使用可能ＦＨチャネルの選択結果の一例を示す図である。
【図８】図８は、通信用ＷＬＡＮチャネルの位置関係を示した図である。
【図９】図９は、使用チャネル情報およびチャネル通信品質情報の一例を示す図である。
【図１０】図１０は、実施の形態１の無線通信装置の変形例を示す図である。
【図１１】図１１は、実施の形態２の無線通信装置の構成例を示す図である。
【図１２】図１２は、実施の形態２の無線通信装置の動作を説明するための図である。
【図１３】図１３は、実施の形態２の無線通信装置の動作を説明するための図である。
【図１４】図１４は、実施の形態２の無線通信装置の動作を説明するための図である。
【図１５】図１５は、使用可能ＦＨチャネルの選択結果の一例を示す図である。
【発明を実施するための形態】
【００１５】
以下に、本発明にかかる無線通信装置および帯域制御方法の実施の形態を図面に基づいて詳細に説明する。なお、この実施の形態によりこの発明が限定されるものではない。
【００１６】
実施の形態１．
図１は、本発明にかかる無線通信装置の実施の形態１の構成例を示す図である。この無線通信装置は、無線ＬＡＮ（IEEE802.11b/g/n）規格に対応した通信装置であるＷＬＡＮ装置１と、ブルートゥース規格に対応した通信装置であるＢＴ装置２と、ＷＬＡＮ装置１が使用する無線通信チャネルおよびＢＴ装置２が使用する無線通信チャネルを制御する無線チャネル制御部３と、を備え、ＷＬＡＮ装置１およびＢＴ装置２は、無線チャネル制御部３の指示に従い、それぞれ異なる方式の通信を並行して行う。なお、図２は、ＷＬＡＮ装置１が使用可能なチャネルとＢＴ装置２が使用可能なチャネルの対応関係を示した図である。
【００１７】
図２に示したように、ＷＬＡＮ装置１が対応しているＩＥＥＥ８０２．１１ｂ／ｇ／ｎ規格では、２．４ＧＨｚ帯の周波数帯域に５ＭＨｚ間隔で１４個の周波数チャネル（図示した“ＷＬＡＮ  Ｃｈａｎｎｅｌ”に相当、以下、ＷＬＡＮチャネルと記す）が割り当てられており、ＷＬＡＮ装置１は、これらの１４個のＷＬＡＮチャネルのうち１以上の任意のＷＬＡＮチャネルを選択的に使用する。なお、既に述べたように、１チャネルあたりの占有周波数帯域幅は２２ＭＨｚである（図２参照）。以下に、ＷＬＡＮ装置１の構成について説明する。
【００１８】
図１に示したＷＬＡＮ装置１は、ＷＬＡＮ無線部１１、ＷＬＡＮ通信制御部１３、端末やネットワークと接続するためのホストインタフェース部（図示せず）、などから構成される。
【００１９】
ＷＬＡＮ無線部１１は、キャリアセンス部１２、図示を省略しているアンテナ，送受信用信号増幅部，フィルタ，変復調処理部，ＰＬＬ（Phase  Locked  Loop）シンセサイザ，ベースバンド処理部、などにより構成されている。キャリアセンス部１２は、通信を開始する前にキャリアセンスを行い、ＷＬＡＮ端末１の通信用に割り当てられているＷＬＡＮチャネル（通信用ＷＬＡＮチャネル）の状態を確認する。そして、例えば、ＷＬＡＮチャネル受信レベルが所定の時間−７６ｄＢｍ以下であることを検出した場合には、通信用ＷＬＡＮチャネルが使用されておらず利用可能であること意味する送信ＯＫ信号をＷＬＡＮ通信制御部１３へ送出する。なお、ＷＬＡＮ装置１が対応している規格と同一規格の無線フレームに対するキャリアセンスレベルと、異なる規格に対応している他のシステムからのフレーム或いは干渉に対するキャリアセンスレベルの２つを有し、これらを使い分けてキャリアセンスを行うように構成するようにしてもよい。
【００２０】
ＷＬＡＮ通信制御部１３は、アクセス制御部１４と、図示を省略している端末管理部，秘匿処理部，フレーマーなどにより構成されている。アクセス制御部１４は、ＣＳＭＡ／ＣＡのほかに、ＰＣＦ（Point  Coordination  Function）、ＥＤＣＡ（Enhanced  Distributed  Channel  Access）、ＨＣＣＡ（Hybrid  Coordination  Function(HCF)  Controlled  Channel  Access）などを実装しており、通信トラフィック種別ごとに使い分ける。
【００２１】
また、ＢＴ装置２が対応しているブルートゥース規格では、図２に示したように、２．４ＧＨｚ帯の周波数帯域が１ＭＨｚ間隔で分割された７９個の周波数チャネル（図示した“ＦＨ  Ｃｈａｎｎｅｌ”に相当、以下、ＦＨチャネルと記す）が割り当てられている。そして、ＢＴ装置２は、予め規定しておいたホッピングパターンに従い、基本的には１タイムスロット（６２５μｓ）毎に時分割で使用する周波数チャネルを切り替えて通信を行う。以下に、ＢＴ装置２の構成について説明する。
【００２２】
図１に示したＢＴ装置２は、ＢＴ無線部２１、ＢＴ通信制御部２２、ホストコントローラーとのインタフェース部（図示せず）、などにより構成されている。
【００２３】
また、ＢＴ装置２において、ＢＴ無線部２１は、図示を省略しているアンテナ，ＲＦ部，ベースバンド処理部などにより構成されている。
【００２４】
ＢＴ通信制御部２２は、周波数ホッピングチャネル決定部２３およびリンク管理部２４と、図示を省略しているアクセス制御部などにより構成されている。
【００２５】
周波数ホッピングチャネル決定部２３は、無線チャネル制御部３から通知される使用可能ＦＨチャネル情報（詳細は後述する）に基づいて、周波数ホッピング通信で使用するチャネルを決定する。リンク管理部２４は、通信相手である他のＢＴ装置との通信リンクの管理を行うものであり、ビットエラーレートやパケットエラーレート、ＲＳＳＩ（受信電力レベル）、ＳＩＮＲ（Signal  to  Interference  plus  Noise  Ratio）などを計測し、ＢＴ装置２の通信が所望の通信品質を満たしているかどうかを判断するとともに、計測結果を「通信品質情報」として無線チャネル制御部３に通知する。
【００２６】
このように、本実施の形態の無線通信装置において、ＢＴ装置２は、実際に使用するＦＨチャネルを無線チャネル制御部３から得られる使用可能ＦＨチャネル情報に基づいて周波数ホッピングチャネル決定部２３で決定する。また、ＢＴ装置２の通信品質を示す情報（通信品質情報），通信品質が劣化して帯域不足となったことに伴って新たな帯域の割り当てを要求する情報（帯域要求情報）をリンク管理部２４が無線チャネル制御部３に通知する。
【００２７】
無線チャネル制御部３は、ＷＬＡＮ装置１およびＢＴ装置２におけるそれぞれの使用チャネルを管理する使用チャネル管理部３１と、ＷＬＡＮ装置１およびＢＴ装置２におけるそれぞれの通信品質を管理する通信品質管理部３２と、無線通信装置全体のＱｏＳを管理するＱｏＳ管理部３３と、を備えている。
【００２８】
つづいて、本実施の形態の無線通信装置の全体動作について説明する。ここでは、特徴的な動作であるＷＬＡＮ装置１の通信とＢＴ装置２の通信との間の相互干渉を低減するための動作（干渉低減方法）およびこれに関連する動作を中心に説明を行い、無線通信装置の一般的な動作の説明については必要最小限に抑えることとする。また、一例として、図３および図４に示したような環境における動作について説明する。
【００２９】
図３および図４は、実施の形態１の無線通信装置の動作を説明するための図である。図３では、携帯端末が本実施の形態の無線通信装置に相当し、無線ＬＡＮの通信相手であるＷＬＡＮアクセスポイント（ＷＬＡＮ＃２）と通信するとともにブルートゥースの通信相手であるヘッドセット（ＢＴ＃２）と通信する場合について示している。また、図３では、ＷＬＡＮ装置１，ＢＴ装置２をそれぞれ、ＷＬＡＮ＃１，ＢＴ＃１としており、これらの周囲においては、ＷＬＡＮ＃３と＃４、ＷＬＡＮ＃５と＃６がそれぞれ通信を行っているものとする。一方、図４は、図３に示したＷＬＡＮ＃１〜＃６がそれぞれ使用するＷＬＡＮチャネル（通信用ＷＬＡＮチャネル）と各ＦＨチャネルの周波数軸上における位置関係の一例を示す図である。なお、図４では、ＢＴ装置２が使用可能なＦＨチャネルを「良好チャネル」として示している。この良好チャネルは、ＢＴ装置２が通信で使用してもＷＬＡＮ装置１および周囲のＷＬＡＮ装置（ＷＬＡＮ＃３〜＃６）に対して干渉を与えないＦＨチャネルである。
【００３０】
ＷＬＡＮ装置１は、電源が投入されると、先ず受信状態となり、受信するＷＬＡＮチャネルを順次切り替えて（チャネルスキャン）、周辺の他のＷＬＡＮ装置がどのＷＬＡＮチャネルを通信に使っているか探索するとともに、通信相手のＷＬＡＮ装置と自身がどのＷＬＡＮチャネルを使用して通信するかを決定する（通信用ＷＬＡＮチャネルを決定する）。またこのとき、各ＷＬＡＮチャネルにおけるチャネル通信品質を取得する。
【００３１】
例えば、ＷＬＡＮ装置１の通信相手および周囲の他のＷＬＡＮ装置が図３および図４に示した関係にある状態では、通信相手であるアクセスポイント（ＡＰ）がＷＬＡＮチャネル６（周波数２４２６ＭＨｚ〜２４４８ＭＨｚ）にて動作しているので、ＷＬＡＮ装置１では、無線ＬＡＮ端末として動作するためＷＬＡＮチャネル６のＢｅａｃｏｎ（ビーコン）を受信して接続制御を行い、データのやり取りを行う。このとき、ＷＬＡＮ＃３とＷＬＡＮ＃４がＷＬＡＮチャネル１（周波数２４０１ＭＨｚ〜２４２３ＭＨｚ）で通信し、ＷＬＡＮ５＃とＷＬＡＮ＃６がＷＬＡＮチャネル１３（周波数２４６１ＭＨｚ〜２４８３ＭＨｚ）で通信しているのであれば、チャネルスキャンの結果（ＷＬＡＮ装置１および周囲のＷＬＡＮ装置が使用している通信用ＷＬＡＮチャネルの情報）を、誤検出危険チャネルを考慮したうえで「使用チャネル情報」として無線チャネル制御部３に伝えると共に、各通信用ＷＬＡＮチャネルのビットエラーレート、パケットエラーレート、ＲＳＳＩ、ＳＩＮＲ、ＣＩＮＲ（Carrier  to  Interference  plus  Noise  Ratio）などの情報を元に生成した与干渉／被干渉の具合を示す「チャネル通信品質情報」を無線チャネル制御部３に通知する。ここで、「誤検出危険チャネル」とは、自身の通信用ＷＬＡＮチャネルをキャリアセンスする際に同時に使用されるとキャリアセンスで誤判定が発生する可能性のあるＦＨチャネルのことであり、通信用ＷＬＡＮチャネルに近接する所定範囲内のＦＨチャネルがこれに該当する。すなわち、上記の特許文献１に記載されている誤検出危険チャネルと同様のものである。上述した「使用チャネル情報」には、各ＷＬＡＮ装置の通信用ＷＬＡＮチャネルの情報および誤検出危険チャネルの情報が含まれる。
【００３２】
ＢＴ装置２は、通信中の状態においては、所定のタイミングで、上述した通信品質情報をリンク管理部２４が生成し、それを無線チャネル制御部３に通知する。通信品質情報を通知するタイミングは、予め決定しておいた一定の周期毎に行ってもよいし、通信品質情報の変動量が規定値に達した場合（最後に通知したときの値から一定量以上変動した場合、すなわち通信品質が大きく変動した場合）に通知するようにしてもよい。また、無線チャネル制御部３から要求を受けた場合に通知するようにしてもよい。なお、通知する通信品質情報は、上述したビットエラーレート、パケットエラーレート、ＲＳＳＩ、ＳＩＮＲ、ＣＩＮＲなどの情報に限らず、与干渉／被干渉情報を含むものでもよい。また通信品質情報は、固定パターンの相関値等から求めたものを使用しても構わない。
【００３３】
上記使用チャネル情報、チャネル通信品質情報および通信品質情報を通知された無線チャネル制御部３では、これらの情報に基づいて、使用チャネル管理部３１が、ＢＴ装置２が使用可能なＦＨチャネルを決定し、この決定結果を示す「使用可能ＦＨチャネル情報」をＢＴ装置２に通知する。
【００３４】
上記使用可能ＦＨチャネル情報を通知されたＢＴ装置２は、この使用可能ＦＨチャネル情報が示すＦＨチャネルのすべてまたは一部を対象として、使用するチャネルを一定時間間隔で切り換えながら周波数ホッピング通信を行う。周波数ホッピング動作における切り換え先のＦＨチャネルは周波数ホッピングチャネル決定部２３が使用可能ＦＨチャネル情報に基づいて決定する。
【００３５】
図５は、ＷＬＡＮ装置１が生成する使用チャネル情報およびチャネル通信品質情報の一例を示す図であり、図示した使用中ＷＬＡＮチャネル（上述した通信用ＷＬＡＮチャネルに相当）、使用不可チャネルおよび誤検出危険チャネルの各情報が使用チャネル情報を構成している。図５に示した例の場合、自身が使用するＷＬＡＮチャネル６（Ｃｈ０６）を基準に、ＷＬＡＮチャネル１（Ｃｈ０１）、ＷＬＡＮチャネル１３（Ｃｈ１３）の順で与干渉／被干渉が低くなることを示している。なお、誤検出危険チャネルについては、ＷＬＡＮ装置１の設計値によって異なるものであり、ＷＬＡＮ装置１の要求に応じてＷＬＡＮ装置（ＷＬＡＮ装置１の周囲のＷＬＡＮ装置）から通知するようにしても良いし、無線チャネル制御部３にてＷＬＡＮ装置毎に設定しても構わない。また、特許文献１に記載されているように「誤検出危険チャネル」情報のみならず、「送信時使用不可チャネル」や、「受信時使用不可チャネル」などの情報と共に通知することも可能である。また、運用上の観点から、予めＢＴ装置２に対して通信を行わせたくないＦＨチャネルが存在する場合には、使用チャネル管理部３１でこのＦＨチャネルを使用不可チャネルとして予め設定しておくことも可能である。さらに、「使用中」、「使用不可チャネル」、「誤検出危険チャネル」のほかに、「周辺からの干渉が存在するが使用可能なチャネル（低推奨）」、「自身の無線ＬＡＮチャネルに対して、誤検出は行わないが通信品質の劣化を引き起こす干渉チャネル（低推奨）」のように、利用が勧められないがブルートゥースのＦＨチャネル数が不足した際に利用可能（ただし、低推奨）なチャネルをランク付けして通知することも可能である。
【００３６】
なお、ＷＬＡＮ装置１は、使用中のＷＬＡＮチャネルの品質が悪くなるなどして、使用するＷＬＡＮチャネルを変更する必要が生じた場合には、所定のプロトコルにしたがって、使用するＷＬＡＮチャネルを変更する。そのため、ＷＬＡＮ通信制御部１３は、使用するＷＬＡＮチャネルの変更が発生するたびに、無線チャネル制御部３に対して、「使用可能チャネル情報」と「チャネル通信品質情報」を出力し直す。これらの通知を受けた無線チャネル制御部３は、ＢＴ装置２が使用可能なＦＨチャネルの更新（再決定）を使用チャネル管理部３１で行い、その内容に変更があればＢＴ装置２に対して、更新後の使用可能ＦＨチャネル情報を通知する。
【００３７】
以下に、無線チャネル制御部３の使用チャネル管理部３１の動作について説明する。
【００３８】
例えば、ＷＬＡＮ装置１およびＢＴ装置２と、他の通信装置とが図３に示した位置関係にある状態において、ＷＬＡＮ装置１（ＷＬＡＮ＃１）から無線チャネル制御部３に通知された「使用チャネル情報」が図５に示した内容の場合、ＢＴ装置２が良好チャネルとして使用できるＦＨチャネルは２４５４ＭＨｚ，２４５５ＭＨｚのみとなる（図４参照）。そのため、ＢＴ装置２が周波数ホッピングを行うのにＦＨチャネルとして２０チャネル必要であれば、無線チャネル制御部３は、ＢＴ装置２が通信を行わないように制御する、または、図６に示したように、使用不可チャネルまたは誤検出危険チャネルに分類されているＦＨチャネルの中から、ＢＴ装置２にとっては不良チャネルとなるＦＨチャネルを不足数分選択し、これらの選択したＦＨチャネルおよび良好チャネル（これらをまとめて使用可能ＦＨチャネルと呼ぶ）を使用して周波数ホッピングするように制御する。なお、図６は、使用可能ＦＨチャネルの選択結果の一例を示す図であり、図６においては、ハッチングされたＦＨチャネルがＢＴ装置２に使用させるために選択されたＦＨチャネル（使用可能ＦＨチャネル）である（図７以降においても同様）。これにより、従来同様近隣のＷＬＡＮ装置（ＷＬＡＮ＃３〜ＷＬＡＮ＃６）に対して大きな干渉を与えるだけではなく、ＢＴ装置間（ＢＴ＃１，ＢＴ＃２）でもＷＬＡＮ装置（ＷＬＡＮ＃３〜ＷＬＡＮ＃６）からの干渉波に対する耐性が劣化してしまう問題は変わらず存在するが、ＷＬＡＮ装置１が使用するＷＬＡＮチャネル６に影響を与えるＦＨチャネルを選択することがなくなり、ＢＴ装置２の通信がＷＬＡＮ装置１の通信に影響を与えるのを防止できる。
【００３９】
また、使用不可チャネルまたは誤検出危険チャネルの中から不足数分のＦＨチャネルを選択する際には、上記使用チャネル情報に含まれているチャネル通信品質情報の値が小さいもの（与干渉／被干渉が小さいもの）から順番に選択するようにしてもよい（図７参照）。図７は、ＢＴ装置２が使用するＦＨチャネルの選択結果（使用可能ＦＨチャネルの選択結果）の一例を示す図であり、使用チャネル情報が図５に示した内容の場合における選択結果を示している。これにより、選択したＦＨチャネルと同一周波数帯のＷＬＡＮチャネル１３を使用するＷＬＡＮ装置（ＷＬＡＮ＃５，ＷＬＡＮ＃６）に対して干渉を与えるだけではなく、ＢＴ装置間（ＢＴ＃１，ＢＴ＃２）でもこのＷＬＡＮ装置（ＷＬＡＮ＃５，ＷＬＡＮ＃６）からの干渉波に対する耐性が劣化してしまう問題は従来同様存在するが、ＷＬＡＮ装置１の動作するＷＬＡＮチャネル６、および他のＷＬＡＮ装置（ＷＬＡＮ＃３，ＷＬＡＮ＃４）の動作するＷＬＡＮチャネル１に影響を与えるのを防止できる。また、ＢＴ装置間の通信が他のＷＬＡＮ装置から受ける影響（干渉量）を低く抑えることができる。
【００４０】
ここで、図４や図５などからもわかるように、誤検出危険チャネルとは、使用中ＷＬＡＮチャネルおよびこれに近接する一定範囲を含んだもの（使用不可チャネルおよびこれに近接する一定範囲を含んだものともいえる）であり、ある使用中ＷＬＡＮチャネルに近接する一定範囲は他の使用中ＷＬＡＮチャネルの周波数帯とは重なっていない。したがって、誤検出危険チャネルの周波数帯から使用中ＷＬＡＮチャネル（または使用不可チャネル）の周波数帯を差し引いたものに相当する上記一定範囲に含まれるＦＨチャネルは、近接するＷＬＡＮチャネルからの影響を受けるが、他の誤検出危険チャネル（上記一定範囲に含まれないＦＨチャネル）ほど大きな影響は受けない（ＷＬＡＮチャネルからの干渉量が比較的小さい）。したがって、不足数分のＦＨチャネルをチャネル通信品質情報の値が小さいものから選択する際、さらに、使用中ＷＬＡＮチャネル（または使用不可チャネル）の周波数帯に含まれていないＦＨチャネルから優先的に選択するようにしてもよい。これにより、やむを得ず良好チャネルではないＦＨチャネルを周波数ホッピング通信に使用する場合の通信品質劣化を必要最小限に抑えることができる。
【００４１】
また、近隣の他のＷＬＡＮ装置との距離が短く、他のＷＬＡＮ装置が使用中のＷＬＡＮチャネルから干渉量が、自装置（ＷＬＡＮ装置１）の通信用ＷＬＡＮチャネル（使用中ＷＬＡＮチャネル）からの干渉量よりも大きい場合（チャネル通信品質情報が大きい場合）もあり得る。このような場合にも、自装置の通信用ＷＬＡＮチャネルに対応する誤検出危険チャネルの周波数帯から使用中ＷＬＡＮチャネル（または使用不可チャネル）の周波数帯を差し引いた範囲内のＦＨチャネルから優先的に選択する。これにより、干渉の影響は存在するが、干渉量および送信タイミングを管理できるため、干渉量の見積もりが可能となる（品質劣化量が定量的にわかる）。その結果、他のＷＬＡＮ装置が使用しているＷＬＡＮチャネル（干渉量が大きいＷＬＡＮチャネル）近傍でＦＨチャネルを選択する場合と比較して、スループットの低下を抑えることができる。
【００４２】
なお、チャネル通信品質情報を考慮しつつ使用中ＷＬＡＮチャネル（使用不可チャネル）の周波数帯に含まれていないＦＨチャネル（使用中ＷＬＡＮチャネルの近接範囲内のＦＨチャネル）を優先的に選択する場合について示したが、チャネル通信品質情報を考慮することなく、使用中ＷＬＡＮチャネル（使用不可チャネル）の周波数帯に含まれていないＦＨチャネルを優先的に選択するようにしてもよい。この場合、自装置の使用中ＷＬＡＮチャネルの近接範囲内にあるＦＨチャネルの優先度を、他の使用中ＷＬＡＮチャネルの近接範囲内にあるＦＨチャネルの優先度よりも低くする。
【００４３】
また、チャネル通信品質情報に対して閾値を設定し、閾値以下だった場合に限りそのＷＬＡＮチャネルと同一周波数帯のＦＨチャネルを利用するように動作する（不足分を補うために選択するＦＨチャネルを、閾値以下のＷＬＡＮチャネルに対応するものに限定する）ようにしてもよい。
【００４４】
一方で、ＢＴ装置２の使用中のＦＨチャネルの品質が悪くなる、あるいは利用可能なＦＨチャネルが所望の使用可能チャネル数に満たないなど、ＢＴ装置２においてアプリケーションが要求する通信品質が保てない場合においては、ＢＴ装置２は、無線チャネル制御部３に対して、現在のＰＥＲ、ＢＥＲなどの通信品質とトラフィック種別、バッファの滞留量などを示す「通信品質情報」と、不足している通信帯域あるいは必要な通信帯域を示す「帯域要求情報」とを通知する。無線チャネル制御部３の通信品質管理部３２では、ＢＴ装置２の通信状態が所定の通信品質よりも低いと判定した場合には、その旨をＱｏＳ管理部３３に通知する。この通知を受けたＱｏＳ管理部３３は、ＷＬＡＮ装置１とＢＴ装置２の間のＱｏＳを考慮し、ＢＴ装置２側のトラフィックを優先する場合には、ＷＬＡＮ装置１に対してチャネル変更要求を通知して、ＷＬＡＮチャネルを変更させるように制御する。これにより、ＢＴ装置２の通信品質が劣化した場合には、無線通信チャネル制御部１３がＷＬＡＮ装置１に対してチャネルの変更要求を行い、ＷＬＡＮチャネル１〜１４のスキャンを実施させた後、動作周波数を変更させることが可能になる。
【００４５】
また、ＷＬＡＮ装置１の通信トラフィック量が少なく、ＷＬＡＮ装置１にＷＬＡＮチャネル１６を占有させるのが余剰である場合（つまり、他のＷＬＡＮ装置が使用するＷＬＡＮチャネルにおいても十分に所望の通信トラフィックを伝達できると判断した場合）もあり得る。そのため、無線チャネル制御部３は、このような状態を検出し、かつ良好なＦＨチャネルの数が不足している場合には、ＷＬＡＮ装置１に対してチャネル変更要求を通知してＷＬＡＮチャネルを変更させ、良好なＦＨチャネルの数を増加させることも可能である。その際、先のチャネル通信品質情報に基づき、ＬＡＮ装置１とＢＴ装置２が最も与干渉／被干渉が少ないＷＬＡＮチャネル（チャネル通信品質情報が最も小さいＷＬＡＮチャネル）に移動させることが望ましい。なお、ＷＬＡＮ装置１の通信トラフィック量は、ＷＬＡＮ装置１から直接取得することも可能であるし、ＷＬＡＮ装置１に接続されるホストインタフェース、あるいはドライバ、アプリケーションレイヤを介して無線チャネル制御部３が取得することも可能である。
【００４６】
図８は、図３に示した環境おいて、ＷＬＡＮ＃１およびＷＬＡＮ＃２の通信をＷＬＡＮチャネル１３に移動させた場合の通信用ＷＬＡＮチャネルの位置関係を示した図である。この移動（ＷＬＡＮチャネルの変更）を行うことにより、ＷＬＡＮ装置１から無線チャネル制御部３に通知される、使用チャネル情報およびチャネル通信品質情報は図９に示したものに変更となる。
【００４７】
図９の変更後の使用チャネル情報およびチャネル通信品質情報の通知を受けた無線チャネル制御部３は、ＢＴ装置２に対して使用可能ＦＨチャネル情報を送信して、現在使用可能なＦＨチャネルが２４２９ＭＨｚから２４５５ＭＨｚであることを通知する。ＢＴ装置２は、通知された使用可能ＦＨチャネルを良好チャネルとして実際に周波数ホッピング通信に使用する。これにより、ＷＬＡＮ装置１のスループットが低下する可能性はあるものの、ＢＴ装置２が利用可能な良好なＦＨチャネルを増加させて通信品質を保証することが可能になる。
【００４８】
なお、本実施の形態では、チャネル通信品質情報に応じてＷＬＡＮ装置１の動作周波数を変更させる方法について説明したが、これに限らず各ＷＬＡＮチャネルにおいて通信トラフィック量（負荷量）を計測し、保持することで、通信トラフィック量が少ないＷＬＡＮチャネルに移動させることも可能である。さらには、チャネル通信品質情報と通信トラフィック量の両方を組み合わせて判断することも可能である。
【００４９】
また、本実施の形態では、ＷＬＡＮ装置１およびＢＴ装置２の送信電力値については言及していないが、例えばＷＬＡＮ装置１が移動先のＷＬＡＮチャネル１３において、与干渉が問題となることも考えられる。そのため、ＷＬＡＮ装置１は自身の通信品質を確認し、通信品質に問題がない（例えば、パケットエラーレート、ＳＩＮＲ、ＣＩＮＲが所要値を上回っている）場合には、送信電力を下げるようにしてもよい。これにより与干渉を低減できる。
【００５０】
また、ＢＴ装置２の送信電力を下げることにより「誤検出危険チャネル」、「送信時使用不可チャネル」、「受信時使用不可チャネル」を減少させる方法も考えられる。すなわち、ＷＬＡＮ装置１およびＢＴ装置２の送信電力が自身の通信品質に問題がない（例えば、パケットエラーレート、ＳＩＮＲ、ＣＩＮＲが所要値を上回っている）場合には、送信電力を低くすることにより、他の無線通信装置（ＷＬＡＮ装置およびＢＴ装置を備えた無線通信装置）に対する干渉を低減する。この結果、複数の無線通信装置内の干渉問題を低減できる。
【００５１】
またさらに、図１０に示すように、ＷＬＡＮ装置１のアンテナ特性やフィルタ特性など考慮したキャンセラをＷＬＡＮ装置１とＢＴ装置２の間に配置し、ＷＬＡＮ装置１が送信する場合にはキャンセラを動作させてＷＬＡＮ装置１からの周り込み電力を打ち消すことにより干渉を低減して、ＢＴ装置２における受信特性を改善することも可能である。なお、図１０ではＷＬＡＮ装置１の送信波形に対するキャンセラを記載しているが、ＢＴ装置２の送信に対応するキャンセラ（ＢＴ装置２による送信の回り込みの逆特性を持つキャンセラ）を具備することにより、ＷＬＡＮ装置１における干渉を低減して受信特性を改善することができる。これにより、「誤検出危険チャネル」、「送信時使用不可チャネル」、「受信時使用不可チャネル」を減少させることが可能になる。
【００５２】
このように、本実施の形態では、ＷＬＡＮ装置１は電源投入時または使用するチャネルの切り換え時に近隣の他のＷＬＡＮ装置で使用されているチャネル（通信用ＷＬＡＮチャネル）の確認および通信用ＷＬＡＮチャネルのそれぞれについてのチャネル通信品質情報を生成し、ＢＴ装置２は、通信用ＷＬＡＮチャネルの確認結果に基づいて生成された使用チャネル情報と、通信用ＷＬＡＮチャネルのビットエラーレート、パケットエラーレート、ＲＳＳＩ、ＳＩＮＲ、ＣＩＮＲなどに基づいて生成された、与干渉／被干渉の具合を示すチャネル通信品質情報と、に基づいて決定された使用可能ＦＨチャネルを使用して周波数ホッピング通信を行うこととした。さらに、ＢＴ装置２における通信品質が劣化して帯域不足となった場合、ＷＬＡＮ装置１は使用するＷＬＡＮチャネルを、ＢＴ装置２の通信に対する影響（干渉）が少ないチャネルに変更することとした。これにより、ＷＬＡＮ装置とＢＴ装置とが近接して配置され（例えば無線通信装置にＢＴ装置とＷＬＡＮ装置が両方搭載され）かつ、ＷＬＡＮ装置とＢＴ装置が複数存在し、周波数ホッピング通信のためのＦＨチャネルが十分に確保できない状況となっても、ＷＬＡＮ装置におけるキャリアセンス誤検出が発生するのを回避し、かつ互いの干渉を回避してＢＴ装置が必要とする要求帯域を満足する（周波数ホッピング通信で必要な数のＦＨチャネルを確保する）ことができる。
【００５３】
実施の形態２．
つづいて実施の形態２の無線通信装置について説明する。図１１は、実施の形態２の無線通信装置の構成例を示す図であり、この無線通信装置は、ＷＬＡＮ装置１ａ、ＢＴ装置２ａおよび無線チャネル制御部３ａを備える。なお、実施の形態１の無線通信装置と同じ構成要素には同一の符号を付与している。これらの同一の符号が付与された構成要素については説明を省略する。
【００５４】
ＷＬＡＮ装置１ａは、ＷＬＡＮ無線部１１およびＷＬＡＮ通信制御部１３ａを備える。ＷＬＡＮ通信制御部１３ａは、アクセス制御部１４ａを備え、また実施の形態１で説明したＷＬＡＮ通信制御部１３が有する機能に加え、無線チャネル制御部３ａから帯域要求情報（詳細は後述する）を受け取った場合に、この帯域要求情報に基づき、自装置（ＷＬＡＮ装置１ａ）が対向するＷＬＡＮ装置（アクセスポイント）から割り当てられている動作時間の中の一定時間をＢＴ装置２Ａ用に割り当てる機能（帯域割り当て機能）を有する。
【００５５】
一方、ＢＴ装置２ａは、ＢＴ無線部２１およびＢＴ通信制御部２２ａを備える。ＢＴ通信制御部２２ａは、周波数ホッピングチャネル決定部２３ａおよびリンク管理部２４を備え、無線チャネル制御部３ａから使用可能ＦＨチャネル情報および使用可能時間情報（詳細は後述する）を受信すると、これらの情報に基づいて周波数ホッピングチャネル決定部２３ａが使用するＦＨチャネルを選択した上で周波数ホッピング通信を行う。
【００５６】
また、無線チャネル制御部３ａは、使用チャネル管理部３１ａ、通信品質管理部３２およびＱｏＳ管理部３３を備え、ＢＴ装置２ａから受け取った情報およびＷＬＡＮ装置１ａから受け取った情報に基づき、ＢＴ装置２ａに対して使用を許可するＦＨチャネルの決定、および使用可能時間情報の生成を行う。さらに、ＢＴ装置２ａから帯域要求情報を受け取った場合に、この帯域要求情報をＷＬＡＮ装置１ａに対して通知する。
【００５７】
つづいて、本実施の形態の無線通信装置の全体動作について説明する。なお、実施の形態１での動作説明と同様に、特徴的な動作であるＷＬＡＮ装置１の通信とＢＴ装置２の通信との間の相互干渉を低減するための動作（干渉低減方法）およびこれに関連する動作を中心に説明を行う。また、図１２〜図１４を参照しながら説明を行う。
【００５８】
図１２〜図１４は、実施の形態２の無線通信装置の動作を説明するための図である。図１２は、本実施の形態の無線通信装置の動作環境の一例を示している。図１２においては、携帯端末が本実施の形態の無線通信装置に相当し、無線ＬＡＮの通信相手であるＷＬＡＮアクセスポイント（ＷＬＡＮ＃２）と通信するとともにブルートゥースの通信相手であるヘッドセット（ＢＴ＃２）と通信する場合について示している。また、図１２では、ＷＬＡＮ装置１ａ，ＢＴ装置２ａをそれぞれ、ＷＬＡＮ＃１，ＢＴ＃１としている。なお、図１２に示した環境は、実施の形態１の説明で前提としていた環境（図３に示した環境）に対して、ＷＬＡＮ＃７，＃８が追加されたものであり、ＷＬＡＮアクセスポイント（ＷＬＡＮ＃２）に接続中の端末がＷＬＡＮ＃１（ＷＬＡＮ装置１ａ），＃７，＃８の３つとなっている。図１３は、図１２に示したＷＬＡＮ＃１〜＃８がそれぞれ使用するＷＬＡＮチャネル（通信用ＷＬＡＮチャネル）の周波数軸上における位置関係の一例を示す図である。
【００５９】
図１２に示した環境において、ＷＬＡＮ＃３およびＷＬＡＮ＃４がＩＥＥＥ８０２．１１ｂ/ｇ/ｎで規定されているチャネルであるＷＬＡＮチャネル１（ＣＨ１：２４０１〜２４２３ＭＨｚ）を使用して通信を行い、ＷＬＡＮ＃１、ＷＬＡＮ＃２、ＷＬＡＮ＃７およびＷＬＡＮ＃８がＷＬＡＮチャネル６（ＣＨ６：２４２６〜２４４８ＭＨｚ）を使用して通信を行い、ＷＬＡＮ＃５およびＷＬＡＮ＃６がＷＬＡＮチャネル１１（ＣＨ１１：２４５１〜２４７３ＭＨｚ）を使用して通信を行う場合、本実施の形態の無線チャネル制御部３ａは、ＢＴ装置２ａに対して使用を許可するＦＨチャネルを図１３に示したように選択する。すなわち、無線チャネル制御部３ａは、まず、ＷＬＡＮ＃１〜＃８で使用されているＷＬＡＮチャネル（通信用ＷＬＡＮチャネル）１，６，１１と重なっていないＦＨチャネル（中心周波数が２４２４ＭＨｚ，２４２５ＭＨｚ，２４４９ＭＨｚ，２４５０ＭＨｚの４つのＦＨチャネルと、２４７４ＭＨｚ〜２４８０ＭＨｚの間の７つのＦＨチャネルの計１１個のＦＨチャネル）を良好チャネル（使用可能なＦＨチャネル）として選択し、さらに、周波数ホッピング通信が可能となるように、不足しているＦＨチャネルをＷＬＡＮ装置１ａが使用中のＷＬＡＮチャネル６から最も離れたＦＨチャネル４個以上を追加選択する。例えば、２４０２〜２４０５ＭＨｚ，２４７２〜２４７３ＭＨｚの範囲にあるＦＨチャネルを追加選択する。そして、これらの良好チャネルとして選択したＦＨチャネル、および追加選択したＦＨチャネルを合わせたものを、使用可能なＦＨチャネルとしてＢＴ装置２ａに通知する（選択したＦＨチャネルを示す使用可能ＦＨチャネル情報を通知する）。なお、実施の形態１で示した動作と同様に、誤検出危険チャネル、送信時使用不可チャネルおよび受信時使用不可チャネルを考慮した選択動作を実施しても構わない。図１３では、追加選択したＦＨチャネルを不良チャネルと記載している。
【００６０】
図１４では、ＷＬＡＮ装置１ａ（ＷＬＡＮ＃１）がＷＬＡＮアクセスポイント（ＷＬＡＮ＃２）に対してデータを送信する場合のシーケンスを示しており、このデータ送信動作の影響を受けるＢＴ装置２ａおよび他のＷＬＡＮ装置（ＷＬＡＮ＃７，＃８）の動作も併せて記載している。
【００６１】
図１４において、時刻ｔ0〜ｔ1では、ＷＬＡＮ＃１とＷＬＡＮ＃２がＢｅａｃｏｎの送受信及び、ＲＴＳ／ＣＴＳを用いたデータ通信を行うシーケンスについて記している。なお、ＩＥＥＥ８０２．１１ｂ／ｇ／ｎでは、通信フレーム内のＮＡＶ（Network  Allocation  Vector）情報を受信した同一ＷＬＡＮチャネルで動作する他端末は、通知された時間（ＮＡＶ情報が示す時間）では通信を保留する。図１４の例では、ＯｔｈｅｒｓとしているＷＬＡＮ＃７，＃８が他端末に相当し、また、灰色で記載されている部分（ハッチング部分）がＮＡＶ情報に対応する区間となり、この区間で通信を保留している様子を示している。ＢＴ装置２および対向するＢＴ装置（通信相手）は、無線チャネル制御部３ａから通知された使用可能ＦＨチャネル情報に基づき決定した利用ＦＨチャネルで動作しているものとし、ここでは、図１３に示した良好チャネルおよび不良チャネルが利用ＦＨチャネルであるものとする。
【００６２】
すなわち、本実施の形態の無線通信装置では、図１４に示した時刻ｔ0〜ｔ1の区間において、ＷＬＡＮ装置１ａ（ＷＬＡＮ＃１）は図示したシーケンスを実行してデータ伝送を行う。一方、ＢＴ装置２ａは、この区間において図１３に示した良好チャネルおよび不良チャネルを使用して周波数ホッピング通信を行う。そして、時刻ｔ1〜ｔ2において、ＷＬＡＮ装置１ａは、通信相手であるＷＬＡＮ＃２及び同一ＷＬＡＮチャネルで動作する他端末（Ｏｔｈｅｒｓとして示したＷＬＡＮ＃７，＃８）に対して、通信を保留させるＮＡＶを含んだCTS-to-itselfフレームを送信し、一定時間（ｔ2−ｔ1時間−CTS-to-itselfフレーム送信時間）の間、ＷＬＡＮ通信が発生しないようにする。また、ＷＬＡＮ装置１ａは、上記送信したCTS-to-itselfフレームに含まれていたものと同じ予約帯域時間（ＮＡＶ情報が示す時間）を示す帯域割り当て時間情報、を無線チャネル制御部３ａに通知する。この通知を受けた無線チャネル制御部３ａは、通知内容、およびこれ以前にＷＬＡＮ装置１ａから通知され、保持しておいた使用チャネル情報に基づいて、使用可能ＦＨチャネルを決定し、さらに、決定結果を示す使用可能ＦＨチャネル情報およびその有効期限（ＷＬＡＮ装置１ａなどが通信を停止する期間に相当し、図１４の場合はｔ1〜ｔ2の期間となる）を示す使用可能時間情報をＢＴ装置２ａに対して通知する。ＢＴ装置２ａは、無線チャネル制御部３ａから使用可能ＦＨチャネル情報および使用可能時間情報の通知を受けると、ＷＬＡＮ装置１ａが使用するＷＬＡＮチャネル６が自身の通信のために開放されたことを認識し、図１５に示したように、２４２４〜２４５０ＭＨｚおよび２４７４〜２４８０ＭＨｚの範囲に含まれるＦＨチャネルの中から選択したＦＨチャネル（ただし周波数ホッピング通信における必要最小限の数以上のＦＨチャネルとする）を利用して周波数ホッピング通信を行う。時刻ｔ1〜ｔ2の区間が終了すると、ＢＴ装置２ａは、時刻ｔ0〜ｔ1の区間で使用していたＦＨチャネルと同じＦＨチャネルを使用した通信に復帰する。
【００６３】
なお、図１４に示した動作は、ＢＴ装置２ａが帯域要求情報を無線チャネル制御部３ａに通知した場合に実行する。すなわち、ＢＴ装置２ａが帯域要求情報を出力すると、これが無線チャネル制御部３ａ経由でＷＬＡＮ装置１ａに通知され、帯域要求情報の通知を受けたＷＬＡＮ装置１ａは、CTS-to-itselfフレームを送信して、自装置および周囲のＷＬＡＮ＃７，＃８が使用するＷＬＡＮチャネル６を一定期間（ｔ1〜ｔ2の区間）開放する。
【００６４】
このようにして、ＷＬＡＮ装置１ａが使用するＷＬＡＮチャネルを一定期間ＢＴ装置２ａに対して貸し出すことにより、通信品質保証を必要とするトラフィックや、時間制限の厳しいトラフィックに対して、適応的にＷＬＡＮチャネルを開放することが可能となり、干渉回避を行った上で、所望のスループットを達成することが可能になる。
【００６５】
なお、本実施の形態では、ＷＬＡＮチャネルの開放にＣＴＳ−ｔｏ−ｉｔｓｅｌｆフレームを使用する場合に例について示したが、これに限らずＴＸＯＰ（Transmission  Opportunity）、ＨＣＣＡ、ＰＳ−Ｐｏｌｌ（Power  Save-Poll）などを用いて実現することも可能である。また、同様の効果を実現できるのであればフレーム種別を限定するものではない。
【００６６】
また、実施の形態１で示した、誤検出危険チャネル、送信時使用不可チャネル、受信時使用不可チャネルなどを考慮して制御（使用可能なＦＨチャネルの決定）を行っても構わない。
【００６７】
さらに、ＷＬＡＮ装置１ａは、チャネル通信品質情報を元に周囲のＷＬＡＮ装置の通信状況を把握した上で、実施の形態１に示す動作周波数（使用するＷＬＡＮチャネル）の変更動作と本実施の形態で示した通信時間の割当（使用するＷＬＡＮチャネルでの通信を一定期間停止してＢＴ装置２ａに使用させる制御）を組み合わせて使用することも可能である。
【００６８】
このように、本実施の形態の無線通信装置では、ＢＴ装置は通信品質が劣化して帯域不足になると、新たな帯域の割り当てを要求する帯域要求情報を無線チャネル制御部経由でＷＬＡＮ装置へ通知し、ＷＬＡＮ装置は、帯域要求情報を受け取った場合には、通信相手の通信装置および周囲の通信装置に対して、自装置が使用しているＷＬＡＮチャネル（通信用ＷＬＡＮチャネル）と同じチャネルでの通信を一定期間実施しないように依頼をすることとした。そして、この通信が実施されない期間において、ＢＴ装置は、使用しないように設定された通信用ＷＬＡＮチャネルと同じ帯域のＦＨチャネルを使用して周波数ホッピング通信を行うこととした。これにより、ＢＴ装置に対する効率的な良好チャネルの割り当てが可能となり、音声パケットなどの比較的ＱｏＳが高い通信を行うＢＴ端末に対して所望の通信品質を満たす帯域を、干渉を回避した上で割り当てることができる。
【産業上の利用可能性】
【００６９】
以上のように、本発明にかかる無線通信装置は、異なる複数の通信装置を備えた複合無線装置に有用であり、特に、備えている各通信装置が同じ周波数帯のチャネルを利用して通信する無線通信装置に適している。
【符号の説明】
【００７０】
１、１ａ  ＷＬＡＮ装置
２、２ａ  ＢＴ装置
３、３ａ  無線チャネル制御部
１１  ＷＬＡＮ無線部
１２  キャリアセンス部
１３、１３ａ  ＷＬＡＮ通信制御部
１４、１４ａ  アクセス制御部
２１  ＢＴ無線部
２２、２２ａ  ＢＴ通信制御部
２３、２３ａ  周波数ホッピングチャネル決定部
２４  リンク管理部
３１、３１ａ  使用チャネル管理部
３２  通信品質管理部
３３  ＱｏＳ管理部
【図１】
2010278764.tif 000003
【図２】
2010278764.tif 000004
【図３】
2010278764.tif 000005
【図４】
2010278764.tif 000006
【図５】
2010278764.tif 000007
【図６】
2010278764.tif 000008
【図７】
2010278764.tif 000009
【図８】
2010278764.tif 000010
【図９】
2010278764.tif 000011
【図１０】
2010278764.tif 000012
【図１１】
2010278764.tif 000013
【図１２】
2010278764.tif 000014
【図１３】
2010278764.tif 000015
【図１４】
2010278764.tif 000016
【図１５】
2010278764.tif 000017